(57)【要約】  光媒体ディスクが、ディスクに保存されたデータを読み取る光媒体再生機の機能を妨げる感光材によって処理される。その感光材は、１つ以上の光の波長に露光させた際に相変化を起こす材料である。当初の相において、感光材はディスクを読取不能にする。一方、活性化の後には、ディスクは従来の光媒体再生機によって読取可能となる。この方法により、特に予決定された光源への露光により媒体が活性化されるまでの間、未活性の光媒体の盗難が抑止される。【選択図】図３
2008538644.tif 000002
【特許請求の範囲】
【請求項１】
盗難を抑止する方法であって：
光媒体にデータを符号化するステップと；
感光材が第一の相にある間前記符号化されたデータを読取不能とすることで前記光媒体の盗難を抑止するように、前記光媒体の基板表面を前記第一の相にある前記感光材によって処理するステップと；
活性化により前記感光材は前記第一の相から第二の相へ変化させられ、前記感光材が前記第二の相にある間前記符号化されたデータが読取可能となるように、前記光媒体の販売時点に先立って予決定された波長を持つ光源を用いて前記感光材を活性化するステップと； 
を備える方法。
【請求項２】
前記感光材は、前記活性化の後に永久的に前記第二の相を維持することを特徴とする、請求項１に記載の方法。
【請求項３】
前記処理は、前記基板表面内への前記感光材の取付けを含むことを特徴とする、請求項１に記載の方法。
【請求項４】
前記処理は、前記基板表面の少なくとも一部を覆うように薄膜内で前記感光材を挿入することを含むことを特徴とする、請求項１に記載の方法。
【請求項５】
前記処理は、前記基板表面と第二の基板との間に前記感光材を挿入することを含むことを特徴とする、請求項１に記載の方法。
【請求項６】
前記活性化は、前記感光材が１つ以上の光の波長のエネルギーを吸収して前記第一の相から前記第二の相に変化するまで前記基板表面を前記光源に露光させることを含むことを特徴とする、請求項１に記載の方法。
【請求項７】
前記第一の相はアモルファス状態であり、前記第二の相は結晶状態であることを特徴とする、請求項６に記載の方法。
【請求項８】
前記活性化は、前記光媒体が収納された透明または半透明の容器を透過して行われることを特徴とする、請求項６に記載の方法。
【請求項９】
前記光媒体は、前記第一の相にある間は従来の光媒体再生機によって読取不能であり、前記第二の相にある間は従来の光媒体再生機によって読取可能であることを特徴とする、請求項１に記載の方法。
【請求項１０】
前記光源は、水銀に基づく光源であることを特徴とする、請求項１に記載の方法。
【請求項１１】
さらに、活性化されるまで読取不能であることを示すラベルを前記光媒体に付すステップを含む、請求項１に記載の方法。
【請求項１２】
光媒体のディスクであって、データを符号化する基板表面と、前記基板表面は第一の相にある感光材によって処理されることと、前記感光材が第一の相にある間は前記符号化されたデータを読取不能とすることで前記光媒体の盗難を抑止することと、前記光媒体の販売時点に先立って前記感光材は予決定された波長を持つ光源へ露光されたときに前記第一の相から前記第二の相へ変化させられることと、前記符号化されたデータは前記感光材が第二の相にある場合に読取可能であることと、を備えるディスク。
【請求項１３】
前記感光材は、前記光源に露光された後は永久的に前記第二の相を維持することを特徴とする、請求項１２に記載の光媒体ディスク。
【請求項１４】
前記感光材は、前記基板表面内に取付けられることを特徴とする、請求項１２に記載の光媒体ディスク。
【請求項１５】
前記感光材は、前記基板表面の少なくとも一部を覆う薄膜内に挿入されることを特徴とする、請求項１２に記載の光媒体ディスク。
【請求項１６】
前記感光材は、前記基板表面と第二の基板との間に挿入されることを特徴とする、請求項１２に記載の光媒体ディスク。
【請求項１７】
前記感光材は、１つ以上の光の波長からエネルギーを吸収して前記第一の相から前記第二の相に変化するまで前記光源に露光されることを特徴とする、請求項１２に記載の光媒体ディスク。
【請求項１８】
前記第一の相はアモルファス状態であり、前記第二の相は結晶状態であることを特徴とする、請求項１７に記載の光媒体ディスク。
【請求項１９】
前記光媒体は、前記第一の相にある間は従来の光媒体再生機によって読取不能であり、前記第二の相にある間は従来の光媒体再生機によって読取可能であることを特徴とする、請求項１２に記載の光媒体ディスク。
【請求項２０】
さらに、前記光媒体ディスクの少なくとも１つに貼付されるラベルと、前記光媒体ディスクを収納する容器と、前記ラベルは前記光媒体ディスクが活性化されるまで読取不能であることを示すことと、を備える請求項１２に記載の光媒体ディスク。
【発明の詳細な説明】
【技術分野】
【０００１】
本発明は、一般的に光媒体のコンテンツに関し、特に予決定された光源への露光により媒体が活性化されるまでの間の媒体のコンテンツへの無権限アクセスの防止に関する。
【背景技術】
【０００２】
光学的なデータ保存媒体（“光媒体”）とは、光学的に読取り可能な方法でデータが保存される媒体である。データは、媒体の１つ以上の層の中の光学的変化によって符号化される。光媒体の形式には、ＣＤ−ＤＡ（デジタルオーディオコンパクトディスク）、ＣＤ−ＲＯＭ（ＣＤ−リードオンリーメモリ）、ＤＶＤ（デジタル多用途（ｖｅｒｓａｔｉｌｅ）ディスクまたはデジタルビデオディスク）、ブルーレイＲＯＭ媒体といった読取専用形式、ＣＤ−Ｒ（ＣＤ−レコーダブル）、ＤＶＤ−Ｒ（ＤＶＤ−レコーダブル）といった一度だけ書込み可能で複数回読取可能（ＷＯＲＭ：ｗｒｉｔｅ−ｏｎｃｅ  ｒｅａｄ−ｍａｎｙ  ｔｉｍｅｓ）な形式、及び磁気光学（ＭＯ）ディスク、ＣＤ−ＲＷ（ＣＤ−リライタブル）、ＤＶＤ−ＲＡＭ（ＤＶＤ−ランダムアクセスメディア）、ＤＶＤ−ＲＷまたはＤＶＤ＋ＲＷ（ＤＶＤ−リライタブル）、ＰＤ（パナソニック（登録商標）による相変化デュアルディスク）、ブルーレイＲＥ、その他相変化光ディスクといった再書込可能な形式などが含まれる。
【０００３】
光媒体は、サプライチェーンの全般にわたって盗難の被害を受け易い。例えば、光媒体のディスクは、一般的に盗難の被害を受け易い小売店やリース会社の店舗の棚に置かれる。光媒体のディスクが電子商品監視（“ＥＡＳ”）用のタグやラベルを付された容器に保管されるとしても、光媒体は、困難を伴いつつ典型的には保管容器から持ち去られてしまう。事実上、光媒体には、最終的な販売地点に届く前ですら、運搬中の箱または個々の容器から持ち去られる危険性がある。
【０００４】
光媒体の盗難問題に対する現在の対策として採られているのは、媒体容器の開封を困難にすること、ＥＡＳまたはＲＦＩＤタグを媒体容器に取り付けること、サプライチェーンに沿って映像での監視を増やすこと、または監視下にない消費者による製品への接触の機会を単純に減らすことなどである。しかしながら、これらの対策には、容易な迂回やコストを含む不都合な点が数多く存在する。
【０００５】
光媒体の盗難問題に加え、光媒体が適法に所有されない限り、光媒体のコンテンツへのアクセスを防止することが望ましい場合がある。例えば、光媒体の配布を行いながら、将来の何らかの事象（例えば支払い）が発生するまで光媒体へのアクセスを遅らせることを望む場合があり得る。
【０００６】
よって、光媒体のコンテンツに対する無権限アクセスを防止するシステム及び方法の必要性は未だ満たされることなく存在している。
【発明の開示】
【０００７】
光媒体のコンテンツへの無権限アクセスを防止するシステム及び方法について説明する。１つの実施形態として、方法には、光媒体上のデータを符号化し、第一の相として光媒体の基板表面を感光材によって処理し、第一の相において感光材により符号化データを読取不能とすることで光媒体の盗難を抑止することを含む。前記方法はさらに、光媒体の販売時点に先立って予決定された波長を持つ光源を用いて感光材を活性化し、感光材を活性化させることにより第一の相から第二の相への変化を起こし、符号化されたデータがその後読取可能となることを含む。
【０００８】
ここで他の実施形態も開示され、特許請求の範囲に記載される。
【０００９】
本発明の１つの観点は、光媒体に保存されたデータを読取る光媒体再生機の機能を妨げる感光材によって光媒体を処理することである。１つの実施形態として、この感光材は、１つ以上の光の波長に露光させることで活性化して物理的に測定可能な状態に変化することのできる如何なる材料であってもよい。他の実施形態として、感光材は、２００３年７月８日に発行された米国特許第６，５８９，６２６号において開示された光可変合成物（ｌｉｇｈｔ−ｃｈａｎｇｅａｂｌｅ  ｃｏｍｐｏｕｎｄ）のいずれかの実施形態であってもよい。同特許の内容は、ここに参照により取り入れられる（これ以降は‘６２６特許とする）。
【００１０】
本発明の他の観点は、処理された光媒体を特定の波長（または波長の範囲）の光を用いて活性化させ、それにより従来型の光媒体再生機が媒体の符号化データを読み取ることができるように前述の感光材の相を変化させることである。１つの実施形態として、光媒体の全体を感光材によって処理してもよく、他の実施形態として、特定の区域のみ処理してもよい。１つの実施形態によれば、一度活性化を行うと、感光材は永久的に新しい状態のままとなる。１つの実施形態では光源は水銀による光源であるが、数多くの他の光源を同様に用いてもよい。
【００１１】
１つの実施形態として、従来通りのデータ符号化処理が完了した後に、光媒体に対して前述の感光材による処理が行われる。その後、光媒体はサプライチェーンに置かれて最終的な販売地点に向けて配送される。サプライチェーンの特定の場所を通過した後に、光媒体を予決定された波長を持つ光を用いて活性化させてもよい。予決定された光の波長、または波長の範囲は、‘６２６特許に開示されているような、使用される特定の感光材に依存することは理解されるべきである。１つの実施形態では活性化は販売の最終地点において行われる一方、同様に製品のサプライチェーンに沿ったいくつかのより早い時点で行ってもよい。このやり方により、未活性状態の光媒体の盗難は、光媒体が読取不能であることによって抑止される。さらに、光媒体（またはその容器）には盗難抑止効果を高めるために未活性であることを示すラベルを付すことが望ましい。
【００１２】
光媒体の物理的仕様は、当該技術領域において既知の標準となっている。ピット（穴）に関連するもの及びデータを符号化させる物理的構成を含む全ての媒体の特徴（ｄｉｍｅｎｓｉｏｎｓ）は、ＣＤの標準仕様の中で定義されている。例えば、サンプリング周波数、量子化ワード長、データ転送速度、誤り訂正符号、及び変調方式などの仕様に関する情報は、全て前記仕様の中で定義されている。また、レーザービームを用いてディスクからデータを読み取る光システムの属性も、前記仕様の中で定義されている。
【００１３】
従来技術に関する図１Ａ及び図１Ｂを参照すると、典型的な光媒体の表面の物理的特徴が描かれている。図１Ａにおいて、光ディスク１００は約１２０ｍｍの直径を持つ。ディスクの中央部には直径約１５ｍｍの穴があり、スピンドルモータ軸に接続した回転台に光ディスクを取り付けることができるようになっている。
【００１４】
図１Ｂには、光ディスク１００の表面の拡大された断面図が描かれている。図示されている通り、ディスク基板１１０は、典型的にはプラスチック基板であって、ディスクの厚さ全体の大部分を構成している。ディスク基板上には、一般的にはアルミニウム、銀または金の金属薄膜層１２０が蒸着される。図１Ｂに示されている通り、データは、光ディスクの表面に沿って形成される金属ピット（ｍｅｔａｌｉｚｅｄ  ｐｉｔ）に物理的に収容される。この金属ピット面１２０及びディスク基板１１０の上には、典型的には厚さ１０〜３０μｍの保護用ラッカー被覆１３０が蒸着される。そして多くの場合、ラッカー被覆の表面に識別ラベル１４０（５μｍ）が付される。
【００１５】
引き続き図１Ｂを参照すると、レーザー光のビームが、符号化された媒体の表面からデータを読み取るために用いられる。金属データ面１２０を焦点とするレーザービームがディスクの下面に当てられ、透明なディスク基板１１０を通過して戻ってくる。ディスクが回転している間、レーザービームはディスクの中心から端までを横断する。ビームの反射パターンによって生成された二進符号の信号は、例えば音声及び映像データなどのデジタルデータに変換される。媒体は２つの状態を表さなければならず、それらの間の変化が反射光を変化させ、それによりデータを認識することができる。データは、相変化、偏光変化、または反射光の強度の変化によって表現することができる。
【００１６】
図２を参照すると、本発明の１つの実施形態に係る光媒体ディスク２００の断面の様子が描かれている。本実施形態において、ディスク基板に含まれる光ディスクの下面２００は、感光材２１０によって覆われている。本発明に対しては、数多くの適用方法が用いられ得ることが理解されるべきである。例えば、２つの基板の間に感光材を配置し、または感光材をポリマー薄膜としてディスク２００に適用するなど、‘６２６特許の中で開示された技術のいずれかを用いることができる。
【００１７】
１つの実施形態として、感光材２１０により、光媒体ディスク２００からの従来の光媒体再生機による読取りが妨げられる。つまり、レーザービームの反射パターンが、適用された感光材２１０によって歪められるのである。しかしながら、感光材２１０の性質として、その物理的属性のいくつかは、特定の光の波長に露光させることで変えることができる。即ち、１つの実施形態として、感光材２１０を所定の型の光に露光させることで、感光材２１０の相を変化させ、それにより光ディスク２００が再度読取可能となる。１つの実施形態としては、活性化させる光源は、水銀に基づく光源である。
【００１８】
次に図３を参照すると、本発明の１つ以上の観点を実装する処理の１つの実施形態が描かれている。この処理は、対象のディスクに既にデータが記録されていることを前提としている。処理３００は、ブロック３１０において感光材（例えば材料２１０）がディスク基板２１０に適用されるところから開始される。前述した通り、本発明に対しては、数多くの適用方法が用いられ得ることが理解されるべきである。しかし、１つの実施形態としては、ディスクの表面の大部分（または全体）を感光材で覆ってもよい。
【００１９】
この時点において、適用された感光材は、ディスクを、従来の光媒体再生機では読取不可能なエラー状態（ブロック３２０）に置く。１つの実施形態として、このエラー状態は、光媒体再生機のレーザーがディスク表面を覆う感光材を精確に貫通できないことの結果である。ディスクはその後、ブロック３３０においてエンドユーザに向けた出荷のために梱包される。１つの実施形態として、サプライチェーンに沿ったどの時点におけるディスクの盗難も、ディスクが適切に活性化されるまでは、ディスクが読取不可能であるという事実によって抑止される。
【００２０】
引き続き図３を参照すると、処理３００はブロック３４０へと続き、処理されたディスクが活性化される。１つの実施形態として、活性化は、ディスクの表面（つまり感光材そのもの）を特定の光の波長または波長の範囲に露光させることにより実施される。１つの実施形態として、ディスクは、容器内のままであっても活性化（即ち、活性化用の光へ露光）され得る。光媒体が透明または半透明のプラスチック製保管容器の中に収納及び／または展示されている状況において、少なくとも内部の媒体を活性化させる特定の光の波長が容器を透過できる限り、活性化処理を容器を通して行うことができる。
【００２１】
前述した通り、本発明に係る感光材（ｌｉｇｈｔ−ｓｅｎｓｉｔｉｖｅ  ｍａｔｅｒｉａｌ）または感光変化材（ｌｉｇｈｔ−ｃｈａｎｇｅａｂｌｅ  ｍａｔｅｒｉａｌ）は、‘６２６特許に開示された如何なる感光材または感光変化材であってもよい。例えば、感光材は有機材料または無機材料として、シアニン化合物、７７０ｎｍから８３０ｎｍ若しくは６３０ｎｍから６５０ｎｍの波長を持つ光を発する光源によって励起される有機感光変化材、または１つ以上の光の波長のエネルギーを吸収してアモルファス状態から結晶状態へ相変化し得る無機材料などであってもよい。１つの実施形態として、光によって相変化を起こす無機材料としては、’６２６特許に開示されているような、ＧｅＳｂＴｅ、ＩｎＳｂＴｅ、ＩｎＳｅ、ＡｓＴｅＧｅ、ＴｅＯｘ−ＧｅＳｎ、ＴｅＳｅＳｎ、ＳｂＳｅＢｉ、ＢｉＳｅＧｅ、及びＡｇＩｎＳｂＴｅ型の材料などであってもよい。
【００２２】
一度活性化が行われると、感光材の相が正常状態に変化し、それにより従来の光媒体再生機によって符号化データを読み取ることができるようになる（ブロック３５０）。１つの実施形態として、活性化用の光源は、対象の光媒体の販売地点に置いてもよい。他の実施形態として、光媒体自身または光媒体が梱包される容器には、媒体が活性化されるまで読取不可能であることを示す形でラベルを付してもよい。この方法によれば、光媒体が正式にエンドユーザに購入されるまで、光媒体は潜在的な窃盗犯に対して無益なものとなる。
【００２３】
様々な実施形態に関連して本発明について説明を行ってきたものの、本発明に対してさらなる修正を加えることが可能であることは理解されるであろう。本応用は、発明の原理に一般的に付随する発明の変形、利用、または適合に及ぶように意図しており、本発明の属する技術領域における周知慣用の技術の範囲内で、今回の開示とは異なる部分を含むものとする。
【図面の簡単な説明】
【００２４】
【図１Ａ】典型的な光学媒体ディスクの側面図である。
【図１Ｂ】典型的な光学媒体ディスクの断面図である。
【図２】本発明の１つの実施形態に係る光媒体ディスクの断面図である。
【図３】本発明の１つの実施形態に係る処理のフロー図である。
【図１Ａ】
2008538644.tif 000003
【図１Ｂ】
2008538644.tif 000004
【図２】
2008538644.tif 000005
【図３】
2008538644.tif 000006